(57)【要約】【課題】吸飲して飲用、または直接口を付けて飲用、或いは注いで使用できる多機能飲料容器を提供すること。【解決手段】ボトル本体１１は上端開口が外部に連通する収容空間を備え、供給端カバー４０の上方に囲い部４１で囲んだ供給口４２を備え、供給口４２を前後に区分して注出口４３と収納溝部４４を設け、注出口４３の底面に流出口４６を設け、供給端カバー４０が上端開口に水密的に組み込まれ、吸飲装置５０が中空状の吸飲口５１を備え、吸飲口５１を揺動させて収納溝部４４に出し入れでき、挿入管は吸飲口５１の下端部の連接口５３へ通じる可撓性区間６１を備え、供給口４２の底面を経て収容空間に挿入され、開閉蓋３０が供給端カバー４０の外側を覆って閉じ合わせられる。【選択図】図３
0003223177.tif 000002
【実用新案登録請求の範囲】
【請求項１】
吸飲、直飲み、注出に使用できる多機能飲料容器であって、ボトル本体と、供給端カバーと、吸飲装置と、挿入管と、開閉蓋を含み、
前記ボトル本体が内部に収容空間を備え、該収容空間の上端部が上端開口を介して外部に連通され、
前記供給端カバーが、上方に囲い部で環状に囲んだ供給口を備え、該供給口を前後に区分して注出口と収納溝部が設けられ、該注出口の底面を貫通して前記収容空間に連通する流出口が設けられ、該流出口が上に向かって注ぎ口に連通され、前記供給端カバーに設けられた下プレートが、前記上端開口に水密的に組み込まれ、
前記吸飲装置が前記供給口に可動的に組み込まれ、中空状の吸飲口を備え、該吸飲口の一端に吸出口が設けられ、他端に根部が設けられ、該吸出口が該根部の下端部の連接口に通じ、該根部が前記囲い部と可動的に組み立てられ、前記吸飲口を揺動させて前記収納溝部に対して出し入れさせることができ、
前記挿入管が上端部に前記連接口へ通じる可撓性区間を備え、前記供給口の底面を経由して前記収容空間内に深く挿入され、
前記開閉蓋が前記供給端カバーの外側表面の空間を覆って閉じ合わせられる、
ことを特徴とする、多機能飲料容器。
【請求項２】
前記供給口の前後方向中間位置の両側に幅方向に延びる可動軸部が設けられ、該可動軸部を介して前記吸飲装置の根部が軸着され、該可動軸部の位置で前後に区分して前記注出口と前記収納溝部が配置され、前記収納溝部の空間に前記吸飲装置を嵌入可能である、ことを特徴とする、請求項１に記載の多機能飲料容器。
【請求項３】
前記吸飲口に該収納溝部から露出されたウィング部が設置され、該ウィング部を外力により起こすことで、前記口を連動して揺動させる、ことを特徴とする、請求項１に記載の多機能飲料容器。
【請求項４】
前記供給端カバーの下プレートが結合環状体に設けられた結合環状口に水密的に組み込まれ、該結合環状体の下端部が前記ボトル本体の連結端に連結され、かつ前記上端開口と水密的に組み立てられる、ことを特徴とする、請求項１に記載の多機能飲料容器。
【請求項５】
前記開閉蓋の内側表面において、前記注出口に設けられた前記流出口と相対する位置に密閉栓が設置され、該密閉栓の表面が前記流出口を封鎖可能である、ことを特徴とする、請求項１に記載の多機能飲料容器。
【請求項６】
前記供給端カバーの収納溝部が、前記吸飲口を收納したとき、前記吸出口に密着する密着面を備えた、ことを特徴とする、請求項１に記載の多機能飲料容器。
【請求項７】
前記密着面が、弾性当接部材を前記収納溝部の前記吸出口と相対する内側に結合して形成された、ことを特徴とする、請求項６に記載の多機能飲料容器。
【請求項８】
前記弾性当接部材が、前記吸出口に対して上方向への分力を発生する、ことを特徴とする、請求項７に記載の多機能飲料容器。
【請求項９】
前記開閉蓋の内側表面に、前記吸飲装置が収納状態にあるときの前記吸飲口の上表面に相対して押さえ部が設けられ、該開閉蓋が閉じられたとき、該押さえ部が前記吸飲口を下方向へ圧迫し、前記吸出口を前記収納溝部の密着面に密着させる、ことを特徴とする、請求項６に記載の多機能飲料容器。
【請求項１０】
前記吸出口が傾斜した端面を備え、前記吸飲口を収納溝部に収納した時の前記吸出口の上端部と前記根部の距離が、前記吸出口の下端部と前記根部の距離より大きい、ことを特徴とする、請求項１に記載の多機能飲料容器。
【請求項１１】
前記ボトル本体がインナーシリンダーと、アウターシリンダーを備え、該インナーシリンダーとアウターシリンダーの間に断熱空間が形成され、該インナーシリンダーの上端部が前記上端開口に連接された、ことを特徴とする、請求項１に記載の多機能飲料容器。
【請求項１２】
前記開閉蓋が断熱性を備え、その内側表面で前記供給端カバーを覆って閉じた時に、前記開閉蓋と前記供給端カバーの間に断熱空間が形成される、ことを特徴とする、請求項１に記載の多機能飲料容器。
【考案の詳細な説明】
【技術分野】
【０００１】
本考案は、吸飲、直飲み、注出に使用できる多機能飲料容器に関する。
【背景技術】
【０００２】
環境保護と使用時の安全性の概念が高まっている現在、レジャーやスポーツなど屋外でのさまざまな活動において、正常に水分を補給するために、多くの人が飲用水を準備して飲用している。
保温ボトルや冷水ボトルなどの関連容器には、それぞれ用途に応じてスポーツタイプやレジャータイプの設計が施されている。例えば自転車での運動時に吸飲したり、レジャー時にゆったりと注いで使用したり、すばやく飲むために直接口を付けて飲んだり等、多様な異なる機能がそれぞれ異なる飲料容器に施されている。異なる活動タイプに合わせて飲料容器もそれぞれ独立した構造機能を具備しているため、使用者は異なるタイプの活動に応じて異なる飲用機能を配した飲料容器を複数用意する必要がある。
【考案の概要】
【考案が解決しようとする課題】
【０００３】
本考案が解決しようとする課題は、吸飲して飲用、または直接口を付けて飲用、或いは注いで使用できる、多機能飲料容器を提供することにある。
【課題を解決するための手段】
【０００４】
本考案は、吸飲、直飲み、注出に使用できる多機能飲料容器に関し、ボトル本体と、供給端カバーと、吸飲装置と、挿入管と、開閉蓋を含み、前記ボトル本体が内部に収容空間を備え、上端部が上端開口を介して外部に連通され、前記供給端カバーが、上方に囲い部で環状に囲んだ供給口を備え、供給口を前後に区分して注出口と収納溝部が設けられ、該注出口の底面を貫通して前記収容空間に連通する流出口が設けられ、該流出口が上に向かって注ぎ口に連通され、前記供給端カバーの下面に設けられた下プレートが、前記上端開口に水密的に組み込まれ、前記吸飲装置が前記供給口に可動的に組み込まれ、中空状の吸飲口を備え、該吸飲口の一端に吸出口が設けられ、他端に根部が設けられ、該吸出口が該根部の下端部の連接口に通じ、該根部が前記囲い部と可動的に組み立てられ、該吸飲口を揺動させて前記収納溝部に対して出し入れさせることができ、前記挿入管が上端部に前記連接口へ通じる可撓性区間を備え、前記供給口の底面を経由して前記収容空間内に深く挿入され、前記開閉蓋が該供給端カバーの外側表面の空間を覆って閉じ合わせられる。
【０００５】
以下の構成を採用することがある。
前記供給口の前後方向中間位置の両側に幅方向に延びる可動軸部が設けられ、該可動軸部を介して前記吸飲装置の根部が軸着され、該可動軸部の位置で前後に区分して前記注出口と前記収納溝部が配置され、前記収納溝部の空間に前記吸飲装置を嵌入可能である構成。
前記吸飲口に該収納溝部から露出されたウィング部が設置され、該ウィング部を外力により起こすことで、該吸飲口を連動して揺動させる構成。
【０００６】
前記供給端カバーの下プレートが結合環状体に設けられた結合環状口に水密的に組み込まれ、該結合環状体の下端部が前記ボトル本体の連結端に連結され、かつ前記上端開口と水密的に組み立てられる構成。
前記開閉蓋の内側表面において、前記注出口に設けられた前記流出口と相対する位置に密閉栓が設置され、該密閉栓の表面が前記流出口を封鎖可能である構成。
【０００７】
前記供給端カバーの収納溝部が、前記吸飲口を收納したとき、前記吸出口に密着する密着面を備えた構成。
この場合、前記密着面が、弾性当接部材を前記収納溝部の前記吸出口と相対する内側に結合して形成された構成。
さらに、この場合、前記弾性当接部材が、前記吸出口に対して上方向への分力を発生する構成。
【０００８】
前記開閉蓋の内側表面に、前記吸飲装置が収納状態にあるときの前記吸飲口の上表面に相対して押さえ部が設けられ、前期開閉蓋が閉じられたとき、該押さえ部が前記吸飲口を下方向へ圧迫し、前記吸出口を前記収納溝部の密着面に密着させる構成。
前記吸出口が傾斜した端面を備え、前記吸飲口を収納溝部に収納した時の前記吸出口の上端部と前記根部の距離が、前記吸出口の下端部と前記根部の距離より大きい構成。
【０００９】
前記ボトル本体がインナーシリンダーと、アウターシリンダーを備え、該インナーシリンダーとアウターシリンダーの間に断熱空間が形成され、該インナーシリンダーの上端部が前記上端開口に連接された構成。
前記開閉蓋が断熱性を備え、その内側表面で前記供給端カバーを覆って閉じた時に、前記開閉蓋と前記供給端カバーの間に断熱空間が形成される構成。
【考案の効果】
【００１０】
本考案の多機能飲料容器は、供給端カバーの上方に注出口が設けられ、この注出口に形成した注ぎ口に直接口を付けて飲む、または注ぐことができ、或いは一体として組み合わせた吸飲装置の吸飲口を収納溝部から出して吸飲することができるので、様々な活動に対応可能であり、活動タイプごとに機能の異なる複数の飲料容器を用意する必要がない。
【図面の簡単な説明】
【００１１】
【図１】本考案の実施例を示す多機能飲料容器の分解斜視図である。
【図２】本考案の実施例を示す多機能飲料容器の結合環状体及び供給端カバーを組立てた状態における斜視図である。
【図３】本考案の実施例を示す多機能飲料容器の斜視図である。
【図４】本考案の実施例を示す多機能飲料容器の直飲みまたは注出に使用する前の状態における一部を破断した要部側面図である。
【図５】本考案の実施例を示す多機能飲料容器の直飲みまたは注出時における一部を破断した要部側面図である。
【図６】本考案の実施例を示す多機能飲料容器の吸飲装置を装着した状態における斜視図である。
【図７】本考案の実施例を示す多機能飲料容器の一部を破断した側面図である。
【図８】本考案の他の実施例を示す多機能飲料容器の開閉蓋を閉じたときの圧迫状態における要部断面図である。
【考案を実施するための形態】
【００１２】
以下、図面に基づいて本考案の実施例を詳細に説明する。
【００１３】
図１に示すように、本考案の飲料容器１０は、ボトル本体１１と、供給端カバー４０と、吸飲装置５０と、挿入管６０と、開閉蓋３０を含む。
ボトル本体１１は内部に飲料を入れる収容空間１４を有し、収容空間１４が上方の上端開口１８に連通されている。
供給端カバー４０の下面に形成された下プレート４８が飲料容器１０に組み込まれると、下プレート４８と上端開口１８との間に水密性を形成することができる。供給端カバー４０の上方には、上に向かって突出する囲い部４１で囲む方式で供給口４２が形成される。
【００１４】
開閉蓋３０は結合環状体２０に可動的に連接され、結合環状体２０の下端部がボトル本体１１の上端部に設けられた連結端１２に結合される。該結合は、嵌合や螺合など手を使った方法での結合であり、手軽に取り外して洗浄できる。開閉蓋３０を閉じると、開閉蓋３０の内側表面が供給端カバー４０の外側表面の空間を覆って密閉できる。
図２に示すように、結合環状体２０の中央に設けられた結合環状口２３に供給端カバー４０の下プレート４８が組み込まれ、図３に示すように、結合環状体２０をボトル本体１１の連結端１２に結合すると、下プレート４８がボトル本体１１の上端開口１８に共に固定され、水密性が達成される。
供給端カバー４０の供給口４２箇所に出し入れ可能な吸飲装置５０が設置され、吸飲装置５０は可撓性区間６１を介して挿入管６０に接続され、挿入管６０の下端部が収容空間１４内部深くに挿入され、飲料を取り込むことができる（図１）。
【００１５】
図２に示すように、飲料容器１０に設けられた結合環状体２０の結合環状口２３に供給端カバー４０の下プレート４８が組み込まれ、結合環状体２０の下端部がボトル本体１１の連結端１２に組み込まれ、かつ上端開口１８との間に水密性を形成する。結合環状体２０を外すと、供給端カバー４０が連動してボトル本体１１を離脱する。
結合環状体２０には開閉蓋３０が一体として可動的に連結され、開閉蓋３０は結合環状体２０とともにボトル本体１１に対して着脱される。
吸飲装置５０は挿入管６０とともに供給口４２の中に組み込まれ、同様に結合環状体２０の着脱操作と同時にボトル本体１１の空間を開いたり、空間に接続したりする。
【００１６】
図３に示すように、供給端カバー４０は結合環状体２０により同軸で飲料容器１０のボトル本体１１の上端部に組み込まれる。結合環状体２０の一側には連結部２２が設けられ、開閉蓋３０の相対する接線箇所に設けられた連結板３２と連結される。結合環状体２０の外面の他側にはロック部材２１が設けられる。
開閉蓋３０は内面において供給端カバー４０の供給口４２と相対する位置に密閉栓３３が設置され、結合環状体２０の外部のロック部材２１と相対する位置に係止部３１が設置され、係止部３１と結合環状体２０に設けられたロック部材２１は相互にロック可能な関係を形成する。開閉蓋３０を供給端カバー４０の内側表面に閉じ合わせると、相互間に気密または断熱空間を形成することができる。
【００１７】
供給端カバー４０は囲い部４１で環状に囲んだ供給口４２を備え、供給口４２は前方に向けて注出口４３が形成され、注出口４３の底部に流出口４６が設けられる。供給口４２の中間位置よりも後方には注出口４３と隔てられた収納溝部４４が形成される。供給端カバー４０をボトル本体１１に組み込むと、流出口４６がボトル本体１１の収容空間１４に連通する。
【００１８】
供給口４２の前後方向中間位置の両側には幅方向に延びる可動軸部４５が設けられ、吸飲装置５０の根部５４が軸着される。吸飲装置５０は中空状の吸飲口５１を備え、上端部に吸出口５５が連通され、吸出口５５の逆方向に根部５４側に位置する連接口５３が連通され、連接口５３に可撓性区間６１が連接され、可撓性区間６１が供給口４２底部を貫通して、ボトル本体１１の収容空間１４に挿入される。
吸飲装置５０を閉じた形態は、可動軸部４５を支点として吸飲口５１が収納溝部４４に嵌入され、嵌入した時、吸出口５５は収納溝部４４の相対する内側表面に押し当てることができる。該押し当ての圧力は開閉蓋３０を閉じたときの機械力に由来することができ、吸出口５５が該収納溝部４４の相対する表面に押し当てられることで、接触面が密接され、飲料が該密接面で水膜を形成し、飲料の大量流出が阻止される。
また、吸飲装置５０には、吸飲装置５０を閉じた時、収納溝部４４から露出して両側に張り出すウィング部５２が設置されている。
【００１９】
開閉蓋３０を閉じる前の操作として、吸飲口５１を収納溝部４４の方向に嵌入する必要があり、開閉蓋３０を閉じると、開閉蓋３０の内側表面に設置された密閉栓３３の外側表面が注出口４３底部に設けられた流出口４６を圧迫して封鎖することができる。
【００２０】
図４に示すように、吸飲装置５０に設置された吸飲口５１は、可動軸部４５を支点として供給口４２の収納溝部４４の方向に倒して収納できる。吸飲口５１の一端に連通された可撓性区間６１は湾曲状を呈し、流出口４６はボトル本体１１の収容空間１４と注出口４３の間を連通する。
【００２１】
図５に示すように、飲料容器１０の開閉蓋３０が開かれると、吸飲口５１は収納された状態であり、注出口４３の流出口４６が注ぎ口４７の流路に連通しているので、ボトル本体１１を傾けると、収容空間１４内部にある飲料の液体が流出口４６を介して注ぎ口４７から注ぎ出される。注ぎ口４７は使用者が直接口を付けて飲用するために用いることができ、または注ぐときに注ぎ口４７の辺縁を利用し、流出口４６から流出する液体を注ぎ口４７の辺縁から下へ注ぐことができ、注いだ後垂直に立たせたとき、注ぎ口４７の辺縁は一般的なやかんの口のような水切り作用を形成する。
また、開閉蓋３０を開けた状態では、開閉蓋３０の吸飲口５１に対する圧迫力がないため、吸出口５５が収納溝部４４（図３の説明を参照）に押し当てられた状態を離脱し、さらに可撓性区間６１の弾性回復力により、吸出口５５と収納溝部４４の間に間隙が作られ、該間隙によって大気圧力をボトル本体１１内部に進入させることができ、流出口４６から飲料を注ぐとき、該大気圧力が吸飲口５１からボトル本体１１内部に導入される。
【００２２】
図６に示すように、吸飲方式でボトル本体１１内部の液体を飲用するときは、注出口４３の空間方向を直立した状態としておき、まず開閉蓋３０を開け、可動軸部４５を支点として、吸飲装置５０のウィング部５２を指で起こし、吸飲口５１を連動して立たせ、吸出口５５を出す。すると吸飲口５１が供給口４２の収納溝部４４を離脱して、ボトル本体１１内部の可撓性区間６１に通じ、吸出口５５が可撓性区間６１を介してボトル本体１１内部深くまで通じ、使用者が吸飲口５１を加えて吸飲する力を加えると、大気圧が流出口４６からボトル本体１１内部に進入し、液体を吸出口５５から吸い出して容易に飲用することができる。
【００２３】
吸飲口５１の両側に張り出すよう設けられたウィング部５２は、囲い部４１の辺縁外側の空間に露出され、かつウィング部５２の収納位置に対応する囲い部４１の上縁部に嵌置槽４９が凹設され、ウィング部５２が嵌入される。ウィング部５２は供給端カバー４０の外側表面に突出しており、指で起こす操作に便利であり、吸飲口５１を清潔に保つことができる。
飲料容器１０全体を静置するときは、ボトル本体１１の下部に設けられた底部１３で立たせる。
【００２４】
図７に示すように、開閉蓋３０が結合環状体２０を覆ったとき、開閉蓋３０に設けられた密閉栓３３は、その表面が供給端カバー４０の流出口４６を圧迫して封鎖し、大気圧力は単一の吸飲装置５０からボトル本体１１に進入しにくいため、携帯過程で内部の飲料が容易に外部に漏れ出ることがない。
【００２５】
ボトル本体１１は、インナーシリンダー１５とその外囲に断熱空間１７を隔てて設置されたアウターシリンダー１６で構成され、インナーシリンダー１５内部が収容空間１４であり、収容空間１４が上方向にそれぞれ供給端カバー４０の流出口４６及び吸飲装置５０に通じており、断熱空間１７によりボトル本体１１の収容空間１４の保温効果が達成される。
【００２６】
図８は本考案の他の実施例を示す。
飲料容器１０は、飲料供給のシステムにおいて、供給端カバー４０の底面に収容空間１４へ通じる流出口４６が設けられており、飲料を注ぎ口４７から注ぎ出す過程で、収容空間１４に大気圧力を導入し、内部の飲料を流出口４６から外部に流出させる必要がある。  本実施例では、図５に示す実施例と同様に、大気圧力を吸飲装置５０の吸飲口５１に設けた吸出口５５から導入し、可撓性区間６１を経由して収容空間１４内部へ導くことができる。
また、吸飲装置５０を利用して吸飲するとき、外部の大気圧力が流出口４６から逆方向に収容空間１４に進入し、吸出口５５に負圧を生じさせ、流出口４６から大気圧力を導入して平衡し、内部の飲料を吸出口５５から吸い出すことを可能にする。
【００２７】
飲料容器１０の携帯時は、開閉蓋３０の内側表面で連動する密閉栓３３によって流出口４６を封鎖することができる。また、開閉蓋３０の内側表面が供給端カバー４０の囲い部４１周辺の上環状口４１０にも相対して密着し、密閉を形成する（この密着方式は一般的な平面圧迫による密着構造の設計であるため、説明を省略する）。
上述の上環状口４１０に対する密閉は供給口４２の空間を包囲しているが、使用者が飲料容器１０を携帯して移動する過程で発生する角度の変化により、収容空間１４内部の液体が可撓性区間６１から逆方向に吸出口５５から外部に漏れ出て、供給端カバー４０内部の供給口４２に溜まる可能性もある。このため開閉蓋３０内側表面の上環状口４１０に対する密封性を強化し、供給口４２の内部空間に残留する液体が開閉蓋３０と結合環状体２０の間隙から外に漏れ出ないようにする必要があり、製作時の精密度に対する要求が高くなる。
【００２８】
さらに、流出口４６及び吸出口５５に対して密閉を施すため、開閉蓋３０を被せる過程で、流出口４６及び吸飲装置５０の吸出口５５が同期して密封されるように、開閉蓋３０内部の流出口４６に相対する位置に予め密閉栓３３を設置し、吸飲口５１を収納した状態の上表面に相対する押さえ部３４を設置するとともに、収納溝部４４の吸出口５５が収納される一側に、吸出口５５の端部開口に対面して密着させることができる密着面４４１を設置することができる。密着面４４１は斜面であり、該斜面が吸出口５５の端面に対応し、根部５４を支点として吸出口５５を揺動させ、収納溝部４４に入れたとき、両者を対面させて密着させ、吸出口５５の端部開口を収納したとき斜め方向に圧迫することができる。
【００２９】
上述の斜面の密着状態は、押さえ部３４による圧迫を受けることができ、押さえ部３４が開閉蓋３０に連動されて吸飲口５１を下へ圧迫することで、吸飲口５１の吸出口５５が収納溝部４４の密着面４４１に押し当てられ、密着面４４１が吸出口５５に対して斜め方向に端面に密着して密封を形成する。このときの密封エネルギーは図５の概念と同じであり、開閉蓋３０の封鎖に由来し、かつ飲料容器１０が携帯される過程で、可撓性区間６１から出る飲料が密着面４４１と吸出口５５の密着界面に到達したとき、封鎖する作用を形成する。
このような構造により、吸飲口５１に口を付けて吸飲した後に残留する唾液が漏れ出た水滴に混ざり、この水滴が供給口４２内部に溜まることがなく、また密閉栓３３を開いたときにこの水滴が収容空間１４内部に逆流し、内部の液体を汚染することがない。
【００３０】
使用者が開閉蓋３０を開いて注ぎ口４７から流出口４６の飲料に口を付けて飲用するときは、開閉蓋３０に同期して押さえ部３４が開き、吸出口５５が圧迫力を失い、密着面４４１との間に緩んで大気圧力が流通できる間隙が形成され、該間隙が吸出口５５から大気圧力を導入する通路となり、逆方向に可撓性区間６１から収容空間１４へ大気圧力を進入させ、内部圧力を平衡し、飲料を流出口４６から流出させることができる。
【００３１】
上述の吸出口５５と密着面４４１の間隙形成は、部材間の弾性的な離脱によって開く動作を形成することができる。可撓性区間６１の屈曲による弾性反発力によって吸飲口５１を上へ揺動させ、吸出口５５を密着面４４１から離脱させる。この弾性的な離脱によって開くメカニズムは根部５４に組み込まれた可動軸部４５に設けてもよく、Ｖ字形の軸張力ばね（ａｘｉａｌ  ｔｅｎｓｉｏｎ  ｓｐｒｉｎｇ）（図示しない）で指向性の弾性力を形成し、この弾性力により、図４の時計回り方向に若干の角度で開く動力を発生し、吸出口５５を密着面４４１から離脱させて間隙を形成することができる。
【００３２】
吸出口５５の角度は密着面４４１に対して斜め方向であり、吸出口５５の上端部５５１と可動軸部４５の距離が、吸出口５５の下端部５５２と可動軸部４５の距離より大きく、吸出口５５の端部開口平面に傾斜を形成している。密着面４４１は対応する平面であり、吸飲口５１が押さえ部３４に最下点の位置まで押さえつけられたとき、傾斜する密着面４４１が吸出口５５の端面を面状に圧迫する。
【００３３】
吸出口５５の端口を封鎖するために、予め弾性当接部材４４０が収納溝部４４に配置される。弾性当接部材４４０は弾性体であり、吸出口５５に相対する一側面が密着面４４１となり、弾性当接部材４４０の弾性変形を利用して、吸出口５５を気密的に封鎖できる。
開閉蓋３０を開くと、吸出口５５が密着面４４１を離脱し、吸出口５５の端面と密着面４４１の間に空気が流通する間隙が形成される。
また、吸飲装置５０を使用して吸飲するときは、ウィング部５２を動かして吸飲口５１を立たせ、吸出口５５を露出させて吸飲に使用することができ、大気圧力が逆方向に流出口４６から収容空間１４に進入して平衡に作用する。
【００３４】
本実施例では、開閉蓋３０の内部に密閉栓３３と押さえ部３４を設置し、それぞれ流出口４６と吸飲口５１に対して圧迫を加えることができ、飲料容器１０に角度の変動が生じたとき（携帯時）も、収容空間１４内部の液体が流出口４６または吸出口５５から漏れ出ることがなく、飲料容器１０外部の空気も収容空間１４に進入できないため、清潔に保たれる。
【００３５】
密閉栓３３と押さえ部３４は同体として形成でき、少なくとも密閉栓３３が流出口４６に相対する、または押さえ部３４が吸飲口５１の上表面に相対する圧迫部が、弾性変形力を備えており、このためロック部材２１と係止部３１を係合したとき、該係合の間隙要求に高さは必要がない。また、密閉栓３３、押さえ部３４はゴムなどの弾性プラスチックとすることができ、加硫で形成され、弾性当接部材４４０も同じく弾性を備えた片体であり、ゴム製品などで製造することができる。
【００３６】
さらに、弾性当接部材４４０の弾性作用力は面で吸出口５５に対して作用し、吸出口５５が密着面４４１に斜め方向に密着されるため、根部５４を支点として斜め方向の分力が発生し、該分力は吸出口５５を起立させる弾性力となる。
該分力の蓄積は押さえ部３４が吸飲口５１を押さえた後、弾性当接部材４４０を逆方向に押し込んで予備力となり、開閉蓋３０を開いて押さえ部３４が開かれた後、該予備力が吸飲口５１を上へ押し上げ、吸出口５５を密着面４４１から離脱させ、空気が流通する間隙を形成する。つまり、開閉蓋３０を開く単一の操作で、直接口を付けて飲用するときに必要な力学が完備される。
【００３７】
本考案の多機能飲料容器は、供給端カバーの上方を前後方向に注出口と収納溝部に分け、収納溝部に吸飲装置を出し入れ可能に収容し、注出口に注ぎ口を設け、流出口と組み合わせて直接口を付けて飲用したり、飲料を注いだり、吸飲口を起こして吸飲したりして使用することができる、多機能な飲料容器となっている。
【符号の説明】
【００３８】
１０  飲料容器
１１  ボトル本体
１２  連結端
１３  底部
１４  収容空間
１５  インナーシリンダー
１６  アウターシリンダー
１７  断熱空間
１８  上端開口
２０  結合環状体
２１  ロック部材
２２  連結部
２３  結合環状口
３０  開閉蓋
３１  係止部
３２  連結板
３３  密閉栓
４０  供給端カバー
４１  囲い部
４２  供給口
４３  注出口
４４  収納溝部
４５  可動軸部
４６  流出口
４７  注ぎ口
４８  下プレート
４９  嵌置槽
５０  吸飲装置
５１  吸飲口
５２  ウィング部
５３  連接口
５４  根部
５５  吸出口
６０  挿入管
６１  可撓性区間
３４  押さえ部
４１０  上環状口
４４０  弾性当接部材
４４１  密着面
５５１  上端部
５５２  下端部
【図１】
0003223177.tif 000003
【図２】
0003223177.tif 000004
【図３】
0003223177.tif 000005
【図４】
0003223177.tif 000006
【図５】
0003223177.tif 000007
【図６】
0003223177.tif 000008
【図７】
0003223177.tif 000009
【図８】
0003223177.tif 000010